(57)【要約】      （修正有）【課題】使用者にフィットするマスクを迅速容易に得ることができるマスク用フレームを提供する。【解決手段】顔面の一部を覆うシート状のフィルタ２０を着脱可能に被せて使用されるマスク用フレーム１であって、矩形枠状に形成し四隅の角部をそれぞれ左右方向に張り出すように湾曲させることでそれぞれの角部に取付部４ａ、４ｂ、５ａ、５ｂが形成されており、各取付部には、耳掛け用の紐１０ａ、１０ｂが取り付けられると共に、フィルタが固定具３０により固定される。【選択図】図４
0003227129.tif 000002
【実用新案登録請求の範囲】
【請求項１】
顔面の一部を覆うシート状のフィルタを着脱可能に被せて使用されるマスク用フレームであって、
矩形枠状に形成し、四隅の角部をそれぞれ左右方向に張り出すように湾曲させることで、それぞれの前記角部に取付部が形成されており、前記各取付部には、耳掛け用の紐が取り付けられると共に、フィルタが固定具により固定されるマスク用フレーム。
【請求項２】
矩形枠状の上部中央を上方に張り出すように湾曲させることで、使用者の鼻が収容される鼻収容部が形成されている請求項１に記載のマスク用フレーム。
【考案の詳細な説明】
【技術分野】
【０００１】
本考案は、マスク用フレームに関し、より詳しくは、顔面の一部を覆うシート状のフィルタを着脱可能に被せて使用されるマスク用フレームに関する。
【背景技術】
【０００２】
従来のマスクとして、特許文献１には、顔面の下半部に被せられる被覆部と、被覆部の左右にそれぞれ設けられた耳掛け部とを備える衛生マスクにおいて、被覆部の周縁部に沿って形状保持部材を設けた構成が開示されている。形状保持部材は、金属等の可塑性素材により矩形枠状に形成されており、使用者の顔面形状に合わせて変形させることができる。
【先行技術文献】
【特許文献】
【０００３】
【特許文献１】登録実用新案第３１５７８４１号公報
【考案の概要】
【考案が解決しようとする課題】
【０００４】
上記従来のマスクは、形状保持部材が取り付けられる被覆部に耳掛け部が設けられているため、一般的な衛生マスク等を使用して構成することができる一方、市販の衛生マスクの入手が困難な状況下では、形状保持部材に対して被覆部を取り替えて使用することが困難であった。
【０００５】
そこで、本考案は、使用者にフィットするマスクを迅速容易に得ることができるマスク用フレームの提供を目的とする。
の提供を目的とする。
【課題を解決するための手段】
【０００６】
本考案の前記目的は、顔面の一部を覆うシート状のフィルタを着脱可能に被せて使用されるマスク用フレームであって、矩形枠状に形成し、四隅の角部をそれぞれ左右方向に張り出すように湾曲させることで、それぞれの前記角部に取付部が形成されており、前記各取付部には、耳掛け用の紐が取り付けられると共に、前記フィルタが固定具により固定されるマスク用フレームにより達成される。
【０００７】
このマスク用フレームは、矩形枠状の上部中央を上方に張り出すように湾曲させることで、使用者の鼻が収容される鼻収容部が形成されていることが好ましい。
【考案の効果】
【０００８】
本考案によれば、使用者にフィットするマスクを迅速容易に得ることができるマスク用フレームを提供することができる。
【図面の簡単な説明】
【０００９】
【図１】本考案の一実施形態に係るマスク用フレームの正面図である。
【図２】図１に示すマスク用フレームを用いてマスクを得る途中の工程を示す正面図である。
【図３】図１に示すマスク用フレームを用いて得られたマスクの正面図である。
【図４】図３に示すマスクの背面図である。
【図５】図１に示すマスク用フレームからマスクを得るための詳細手順を示す図である。
【考案を実施するための形態】
【００１０】
以下、本考案の一実施形態について添付図面を参照しつつ説明する。図１は、本考案の一実施形態に係るマスク用フレームの正面図である。図１に示すように、マスク用フレーム１は、金属材料からなる線状体２を矩形枠状に屈曲させて、線状体２の端部同士を連結具３で連結することにより構成されており、後述するシート状のフィルタ２０を着脱可能に被せて使用することができる。連結具３は、かしめにより固定されるスリーブの他、ゴム管などであってもよい。また、連結具３を使用せずに、線状体２の端部同士を溶接や接着などにより固定してもよい。
【００１１】
矩形枠状のマスク用フレーム１における四隅の角部は、それぞれ左右方向（矩形枠状の長手方向）の外方に張り出すように湾曲させてあり、これによって、それぞれの角部に取付部４ａ，４ｂ，５ａ，５ｂが形成されている。各取付部４ａ，４ｂ，５ａ，５ｂの張り出し方向の先端部は、円弧状に湾曲している。各取付部４ａ，４ｂ，５ａ，５ｂの張り出し長さＬは、特に限定されないが、例えば２０ｍｍ程度である。
【００１２】
また、マスク用フレーム１は、矩形枠状の上部中央を上方に張り出すように湾曲させることで、鼻収容部４が形成されている。鼻収容部４は、使用者の鼻を収容できるように、鼻の形状に合わせて三角形状に形成されている。
【００１３】
上記の構成を備えるマスク用フレーム１は、形状を維持するための剛性を有すると共に、使用者の顔形状に合わせて弾性変形または塑性変形が可能であることが好ましい。マスク用フレーム１は、金属以外に、合成樹脂やゴムなどの材料で形成してもよく、線状体を屈曲させて形成する他、成形品等であってもよい。
【００１４】
次に、マスク用フレーム１を用いてマスクを得るための方法を説明する。まず、図２に示すように、マスク用フレーム１の左右両側に耳掛け用の紐１０ａ，１０ｂをそれぞれ取り付ける。紐１０ａ，１０ｂは、一般的なマスク用の紐を使用することができ、一方の紐１０ａの両端部を取付部４ａ，５ａに取り付け、他方の紐１０ｂの両端部を取付部４ｂ，５ｂに取り付けることができる。紐１０ａ，１０ｂの取り付けは、取付部に結び付ける他、フック等の取付具を使用してもよい。
【００１５】
ついで、図３および図４に示すように、マスク用フレーム１の正面側全体をシート状のフィルタ２０で被覆し、フィルタ２０の縁部をマスク用フレーム１の背面側に折り返した後、固定具３０を用いてフィルタ２０を各取付部４ａ，４ｂ，５ａ，５ｂに固定することにより、マスク１００を得ることができる。マスク１００は、使用者の顔面にフィットするように、マスク用フレーム１を変形させて使用することができる。マスク用フレーム１からマスク１００を得るための詳細手順を、図５に示す。
【００１６】
フィルタ２０は、ハンカチや不織布などの布状体の他、ティッシュペーパ、キッチンペーパ、家電用フィルタなどの身近な日用品を使用することができる。また、固定具３０は、マスク用フレーム１に対してフィルタ２０を着脱可能に固定できるものであれば特に限定されず、例えば、クリップ、ワイヤー、ホッチキスの針、ゴムバンド等を挙げることができる。固定具３０は、各取付部４ａ，４ｂ，５ａ，５ｂに個別に装着してもよく、あるいは、複数の取付部（例えば、取付部４ａ，５ａ）を一体として装着してもよい。
【００１７】
本実施形態のマスク用フレーム１は、入手が容易なフィルタ２０を使用して安価なマスク１００を得ることができ、必要時にはフィルタ２０を迅速容易に交換して繰り返し使用することができる。また、各取付部４ａ，４ｂ，５ａ，５ｂに対して紐１０ａ，１０ｂが取り付けられた箇所は、フィルタ２０で覆い隠すことができるため、美観を良好に維持することができる。なお、紐１０ａ，１０ｂも、必要に応じて適宜交換することができる。
【００１８】
また、マスク用フレーム１は、マスク１００の使用時に鼻を収容可能な鼻収容部６を備えているため、マスク用フレーム１の略全体を使用者の顔面に近接させることができるので、使用者のフィット感をより高めることができる。
【符号の説明】
【００１９】
１  マスク用フレーム
２  線状体
３  連結具
４ａ，４ｂ，５ａ，５ｂ  取付部
６  鼻収容部
１０ａ，１０ｂ  紐
２０  フィルタ
３０  固定具
１００  マスク
【図１】
0003227129.tif 000003
【図２】
0003227129.tif 000004
【図３】
0003227129.tif 000005
【図４】
0003227129.tif 000006
【図５】
0003227129.tif 000007